(57)【要約】【課題】クラッシュスペースに影響を及ぼすことなく、蓄圧装置の配設と車両補機の配設との両立を図り、エンジンルームの前後方向のコンパクト化が可能となる車両用空調装置の配設構造を提供する。【解決手段】車室とエンジンルーム１１を車両前後方向に仕切るダッシュパネル１３が設けられ、エンジンルーム１１に配設されたパワートレインユニット４０の前方に放熱用熱交換器２を配設し、冷媒循環経路内に設けられた蓄圧装置６を、パワートレイン４０の車幅方向一方側に配設すると共に、車幅方向他方側には車両補機１０が設けられたことを特徴とする。【選択図】図５
2010047088.tif 000002
【特許請求の範囲】
【請求項１】
冷媒が循環する冷媒循環経路に、該冷媒を圧縮する圧縮機と、放熱用熱交換器と、蒸発用熱交換器とを備え、
上記蒸発用熱交換器によって車室内の温度を調整する空調装置を備えた
車両用空調装置の配設構造であって、
車室とエンジンルームを車両前後方向に仕切るダッシュパネルが設けられ、
上記エンジンルームに配設されたパワートレインユニットの前方に上記放熱用熱交換器を配設し、
上記冷媒循環経路内に設けられた蓄圧装置を、上記パワートレインユニットの車幅方向一方側に配設すると共に、車幅方向他方側には車両補機が設けられた
車両用空調装置の配設構造。
【請求項２】
上記車両補機は制動用倍力装置である
請求項１記載の車両用空調装置の配設構造。
【請求項３】
上記車両補機は上記蒸発用熱交換器である
請求項１記載の車両用空調装置の配設構造。
【請求項４】
上記パワートレインユニットの車幅方向一方側のダッシュパネルの近傍には、上記蒸発用熱交換器および上記蓄圧装置が配設された
請求項２記載の車両用空調装置の配設構造。
【請求項５】
上記蓄圧装置はダッシュパネルのエンジンルーム側直前部に車幅方向に向けて配設された
請求項３記載の車両用空調装置の配設構造。
【請求項６】
上記蓄圧装置と上記放熱用熱交換器との間を、上記パワートレインユニットの側方を車両前後方向に延びる第１の冷媒用導管によって接続した
請求項３または５記載の車両用空調装置の配設構造。
【請求項７】
上記蓄圧装置と上記蒸発用熱交換器との間を、上記ダッシュパネルのエンジンルーム側を車幅方向に延びる第２の冷媒用導管によって接続した
請求項３、５、６の何れか１に記載の車両用空調装置の配設構造。
【請求項８】
空調風を上記蒸発用熱交換器を通過させて車室内に導く空調風通路を備え、
該空調風通路には上記蒸発用熱交換器に空調風を送風するブロアユニットと、
上記蒸発用熱交換器からの空調風を上記車室内に設けられた複数の空調風吹出し口に分配して配風する配風ユニットが設けられ、
上記蒸発用熱交換器と上記ブロアユニットと上記配風ユニットとを一体的にユニット化して助手席と対応するダッシュパネルの一側方に配設した
請求項１〜７の何れか１に記載の車両用空調装置の配設構造。
【請求項９】
上記冷媒は二酸化炭素冷媒である
請求項１〜８の何れか１に記載の車両用空調装置の配設構造。
【発明の詳細な説明】
【技術分野】
【０００１】
この発明は、冷媒が循環する冷媒循環経路に、該冷媒を圧縮する圧縮機と、放熱用熱交換器と、蒸発用熱交換器とを備え、該蒸発用熱交換器によって車室内の温度を調整する空調装置を備えたような車両用空調装置の配設構造に関する。
【背景技術】
【０００２】
一般に、車両用空調装置は、冷媒を圧縮する圧縮機、放熱用熱交換器としての凝縮器、膨張弁および蒸発用熱交換器としての蒸発器を基本構成とする冷凍サイクルにて形成されており、圧縮機で圧縮された冷媒が、凝縮器にて凝縮されると共に、その凝縮冷媒が膨張弁で減圧膨張された後に、蒸発器によって蒸発し、圧縮機に戻るように構成されており、上述の蒸発器により車室内の温度を調整する空調装置が形成される。
【０００３】
従来、上記冷媒としては、ＣＦＣ冷媒やＨＣＦＣ冷媒が用いられていたが、これらの各冷媒はオゾン層に対して有害な関係上、オゾン破壊係数がゼロのＨＦＣ冷媒（ハイドロ・フルオロ・カーボン冷媒）やＨＣ冷媒（ハイドロカーボン冷媒）に移行されつつある。  
上述のＨＦＣ冷媒（ハイドロ・フルオロ・カーボン冷媒）は地球温暖化係数が大きいという問題点があり、ＨＣ冷媒（ハイドロカーボン冷媒）は地球温暖化係数が小さい反面、強燃性を有するので車両用としては不向きである。一方、従前のアンモニア冷媒は地球温暖化係数がゼロである反面、毒性を有するという問題点があった。
【０００４】
このため、特許文献１、２、３に開示されているように、地球温暖化係数が極小で、不燃性かつ無毒のＣＯ２冷媒を用い、従前の冷凍サイクルに内部熱交換器と蓄圧装置とを追加して車両用空調装置と成す技術が開発されている。
【０００５】
しかしながら、これらの各特許文献１〜３には、二酸化炭素冷媒による車両用空調装置の基本的な冷凍サイクルが開示されているに過ぎず、該冷凍サイクルを構成する各要素を車両に対して如何に搭載・配置するかという点についての開示はない。  
上述の蓄圧装置は比較的大型で、かつ剛性が高いので、この蓄圧装置を仮にパワートレインユニットを構成するエンジンの前方に配置した場合には、クラッシュスペースに影響を与える問題点がある。そこで、蓄圧装置をパワートレインユニットの側方にレイアウトすることが考えられるが、パワートレインユニットの側方には車両補機が位置することが多く、このため、クラッシュスペースに影響を与えることなく蓄圧装置の配設と、車両補機の配設との両立を図ることが要求される。
【特許文献１】特開２００７−１９１１２５号公報
【特許文献２】特開２００６−３２７３５０号公報
【特許文献３】特開２００３−２１４７１３号公報
【発明の開示】
【発明が解決しようとする課題】
【０００６】
そこで、この発明は、車室とエンジンルームを車両前後方向に仕切るダッシュパネルを設け、エンジンルームに配設されたパワートレインユニットの前方に放熱用熱交換器を配設し、冷媒循環経路内に設けられた蓄圧装置を、上記パワートレインユニットの車幅方向一方側に配設し、車幅方向他方側には車両補機を設けることで、クラッシュスペースに影響を及ぼすことなく、蓄圧装置の配設と車両補機の配設との両立を図り、エンジンルームを前後方向にコンパクトにすることが可能となる車両用空調装置の配設構造の提供を目的とする。
【課題を解決するための手段】
【０００７】
この発明による車両用空調装置の配設構造は、冷媒が循環する冷媒循環経路に、該冷媒を圧縮する圧縮機と、放熱用熱交換器と、蒸発用熱交換器とを備え、上記蒸発用熱交換器によって車室内の温度を調整する空調装置を備えた車両用空調装置の配設構造であって、車室とエンジンルームを車両前後方向に仕切るダッシュパネルが設けられ、上記エンジンルームに配設されたパワートレインユニットの前方に上記放熱用熱交換器を配設し、上記冷媒循環経路内に設けられた蓄圧装置を、上記パワートレインユニットの車幅方向一方側に配設すると共に、車幅方向他方側には車両補機が設けられたものである。  
上記構成によれば、パワートレインユニットの車幅方向一方側と他方側とに、蓄圧装置と車両補機とを振り分けて配設したので、クラッシュスペースに影響を及ぼすことなく、蓄圧装置の配設と、車両補機の配設との両立を図り、かつ、エンジンルームを前後方向にコンパクトにすることが可能となる。
【０００８】
この発明の一実施態様においては、上記車両補機は制動用倍力装置であることを特徴とする。  
上記構成によれば、蓄圧装置と制動用倍力装置（いわゆるブレーキ・ブースタ）とのレイアウトの両立を図ることができる。
【０００９】
この発明の一実施態様においては、上記車両補機は上記蒸発用熱交換器であることを特徴とする。  
上記構成によれば、蓄圧装置と蒸発用熱交換器（いわゆるエバポレータ）とのレイアウトの両立を図ることができる。
【００１０】
この発明の一実施態様においては、上記パワートレインユニットの車幅方向一方側のダッシュパネルの近傍には、上記蒸発用熱交換器および上記蓄圧装置が配設されたものである。  
上記構成によれば、蒸発用熱交換器および蓄圧装置、特に蓄圧装置をパワートレインユニットの車幅方向一方側に車両前後方向のデッドスペースを有効利用して、車両衝突時に破損し難い部位に配設することができ、また蓄圧装置はエンジン前方と異なってダッシュパネルの近傍に配設したので、重心の後方移動ができると共に、クラッシュスペースの拡大を図ることができて、車両衝突時の安全性が向上する。
【００１１】
この発明の一実施態様においては、上記蓄圧装置はダッシュパネルのエンジンルーム側直前部に車幅方向に向けて配設されたものである。  
上記構成によれば、蓄圧装置を車幅方向に向けてダッシュパネル直前部に配設したので、さらなる重心の後方移動ができ、ヨー慣性モーメントの低減を図ることができる。
【００１２】
この発明の一実施態様においては、上記蓄圧装置と上記放熱用熱交換器との間を、上記パワートレインユニットの側方を車両前後方向に延びる第１の冷媒用導管によって接続したものである。  
上記構成によれば、次のような効果がある。  
すなわち、パワートレインユニット側方には前後方向のデッドスペースが存在する。そして、このデッドスペースを有効利用して第１の冷媒用導管を配設することができ、また、第１の冷媒用導管による最短距離での接続が可能となる。
【００１３】
この発明の一実施態様においては、上記蓄圧装置と上記蒸発用熱交換器との間を、上記ダッシュパネルのエンジンルーム側を車幅方向に延びる第２の冷媒用導管によって接続したものである。  
上記構成によれば、次のような効果がある。  
すなわち、上述のダッシュパネルのエンジンルーム側、換言すれば、パワートレインユニットを構成するエンジンの後部上側にはデッドスペースが存在するので、このデッドスペースを有効利用して、上記第２の冷媒用導管を配設することができる。
【００１４】
この発明の一実施態様においては、空調風を上記蒸発用熱交換器を通過させて車室内に導く空調風通路を備え、該空調風通路には上記蒸発用熱交換器に空調風を送風するブロアユニットと、上記蒸発用熱交換器からの空調風を上記車室内に設けられた複数の空調風吹出し口に分配して配風する配風ユニットが設けられ、上記蒸発用熱交換器と上記ブロアユニットと上記配風ユニットとを一体的にユニット化して助手席と対応するダッシュパネルの一側方に配設したものである。  
上記構成によれば、蒸発用熱交換器とブロアユニットと配風ユニットとを一体ユニット化したものの全体を集約して、ダッシュパネルの片側、つまり助手席側に配設したので、運転席側においては充分な居住スペースを確保することができ、また助手席側においては最大限の居住スペースを確保することができ、さらに、片方に集約して配設するので、その組付け性の向上を図ることができる。
【００１５】
この発明の一実施態様においては、上記冷媒は二酸化炭素冷媒であることを特徴とする。  
上記構成によれば、冷媒を、高い圧縮圧力が必要な二酸化炭素冷媒（ＣＯ２冷媒）としたので、地球温暖化係数が極小、かつ毒性がないうえ、不燃性を確保することができて、安全性上、有効となる。
【発明の効果】
【００１６】
この発明によれば、車室とエンジンルームを車両前後方向に仕切るダッシュパネルを設け、エンジンルームに配設されたパワートレインユニットの前方に放熱用熱交換器を配設し、冷媒循環経路内に設けられた蓄圧装置を、上記パワートレインユニットの車幅方向一方側に配設し、車幅方向他方側には車両補機を設けたので、クラッシュスペースに影響を及ぼすことなく、蓄圧装置の配設と車両補機の配設との両立を図り、エンジンルームを前後方向にコンパクトにすることが可能となる効果がある。
【発明を実施するための最良の形態】
【００１７】
クラッシュスペースに影響を及ぼすことなく、蓄圧装置の配設と、車両補機の配設との両立を図るという目的を、冷媒が循環する冷媒循環経路に、該冷媒を圧縮する圧縮機と、放熱用熱交換器と、蒸発用熱交換器とを備え、上記蒸発用熱交換器によって車室内の温度を調整する空調装置を備えた車両用空調装置の配設構造において、車室とエンジンルームとを車両前後方向に仕切るダッシュパネルを設け、上記エンジンルームに配設されたパワートレインユニットの前方に上記放熱用熱交換器を配設し、上記冷媒循環経路内に設けられた蓄圧装置を、上記パワートレインの車幅方向一方側に配設し、また、車幅方向他方側に車両補機を設けるという構成にて実現した。
【実施例１】
【００１８】
この発明の一実施例を以下図面に基づいて詳述する。  
図面は車両用空調装置の配設構造を示すが、まず、図１０を参照してＣＯ２（二酸化炭素）を冷媒とする冷凍サイクルの構成について説明する。
【００１９】
図１０に示すように、冷媒を圧縮する可変容量形の圧縮機１と、この圧縮機１で圧縮された高温高圧の冷媒を外気、特に走行風により冷却する放熱用熱交換器としてのガスクーラ２と、このガスクーラ２で冷却された冷媒を減圧する減圧手段としての膨張弁３と、該膨張弁３で減圧された冷媒を、内外気より熱を奪い蒸発させる蒸発用熱交換器としてのエバポレータ４と、ガスクーラ２で冷却された冷媒と圧縮機１へ還流する低圧の冷媒との間で熱交換する内部熱交換器５と、エバポレータ４を通過した冷媒を気液分離して気相状態の冷媒（ＣＯ２ガス冷媒）のみを圧縮機１に送る蓄圧装置としてのアキュムレータ６とを備え、これら各要素１〜６を冷媒導管としてのラインＬ１〜Ｌ７で閉ループ状に接続して、冷凍サイクルを構成すると共に、これら各ラインＬ１〜Ｌ７（冷媒導管）により冷媒が循環する冷媒循環経路７を形成している。
【００２０】
ここで、上述の圧縮機１は後述するエンジン３８で駆動され、ＣＯ２ガス冷媒を圧縮し、高温高圧の冷媒をラインＬ１に吐出する。  
ガスクーラ２は、高温高圧のＣＯ２冷媒の熱を外気、主として走行風と熱交換させ、放熱、液化させて、中温まで冷却する。  
内部熱交換器５は、ガスクーラ２で冷却された冷媒と、エバポレータ４で蒸発した低温低圧の冷媒との間で熱交換させ、ガスクーラ２から膨張弁３に送られる冷媒を、さらに冷却する。
【００２１】
膨張弁３は、内部熱交換器５で冷却された中温高圧の冷媒を減圧させ、低温低圧の霧状の冷媒としてエバポレータ４に送出する。  
エバポレータ４は、該エバポレータ４を通過する内外気の熱を奪って、冷媒を蒸発させ、このエバポレータ４によって車室内の温度を調整する。
【００２２】
アキュムレータ６（蓄圧装置）は、エバポレータ４から吐出される冷媒を気液分離し、圧縮機１による液圧縮を防止すべく、液冷媒を一時プールし、ガス冷媒のみを、内部熱交換器５を介して圧縮機１に還流する。
【００２３】
次に、図１〜図３を参照して車両の全体構造について説明する。ここに、図１は車両の側面図、図２は車両の平面図、図３は車両の正面図である。  
図１〜図３において、エンジンルーム１１と車室１２とを車両前後方向に仕切るダッシュパネルとしてのダッシュロアパネル１３を設け、このダッシュロアパネル１３の下部には、後方に向けて略水平に延びて車室１２の底面を形成するフロアパネル１４を、一体または一体的に連設し、このフロアパネル１４の後部には、上方に立上がるキックアップ部１５および略水平なリヤシートパン１６を形成し、このリヤシートパン１６にはバルクヘッド１７を介してリヤフロア１８（フロアパネル）を略水平に連設している。このリヤフロア１８は後述する後部荷室５３の底面を形成するものである。
【００２４】
車室１２とエンジンルーム１１とを車両の前後方向に仕切るダッシュロアパネル１３は、図２に示すように、その車幅方向の中央において車両後方に向けて凹設されたダッシュ中央凹部１３Ａと、このダッシュ中央凹部１３Ａの前端から車幅方向両側に延びるダッシュ側部１３Ｂ，１３Ｃと、から形成され、運転席側のダッシュ側部１３Ｂ（ダッシュパネルの一般面に相当）は車幅方向に真っ直ぐ延びているのに対して助手席側のダッシュ側部１３Ｃはエンジンルーム１１側に向けて凸設された凸形状に形成されている。
【００２５】
上述のフロアパネル１４の車幅方向の中央部には、図２に平面図で示すように、車室１２内に向かって上方へ突出して、車両の前後方向に延びるトンネル部１９を設けている。このトンネル部１９は、図１に側面図で示すようにダッシュロアパネル１３とバルクヘッド１７との間を車両の前後方向に延びており、該トンネル部１９は車体剛性の中心となるものである。なお、このトンネル部１９の上部には、該トンネル部１９の上部に沿って車両の前後方向に延びるトンネルメンバ（いわゆる、ハイマウントバックボーンフレーム）を設けてもよい。
【００２６】
また、上述のフロアパネル１４の左右両サイドには、図２、図３に示すように、車両の前後方向に延びるサイドシル２０を接合固定している。このサイドシル２０は、サイドシルインナ２１とサイドシルアウタ２２とを接合して、車両の前後方向に延びるサイドシル閉断面２３（図３参照）を有する車体剛性部材である。なお、上記サイドシルインナ２１とサイドシルアウタ２２との間には必要に応じて、サイドシルレインフォースメントが介設される。
【００２７】
さらに、図１、図２に示すように、ダッシュロアパネル１３とキックアップ部１５との車両前後方向の中間部において、上述のフロアパネル１４上部には、トンネル部１９の縦壁とサイドシルインナ２１との間を車幅方向に連結する左右のフロアクロスメンバ２４，２４を設け、断面ハット形状のこのフロアクロスメンバ２４とフロアパネル１４との間には、車幅方向に延びる閉断面２５を形成している。
【００２８】
図２、図３に示すように、上述のトンネル部１９とサイドシル２０との間の車幅方向の中間部において、フロアパネル１４の下部には、車両の前後方向に延びる左右一対のフロアフレーム２６，２６（車体剛性部材）を接合固定して、断面逆ハット形状のこのフロアフレーム２６とフロアパネル１４との間には、車両の前後方向に延びる閉断面２７（図３参照）を形成している。
【００２９】
また、リヤフロア１８の下部両サイドには、図１、図２に示すように、車両の前後方向に延びる左右一対のリヤサイドフレーム２８，２８（車体剛性部材）を接合固定して、（断面逆ハット形状の）このリヤサイドフレーム２８とリヤフロア１８との間には、車両の前後方向に延びる閉断面（図示せず）を形成すると共に、これら一対のリヤサイドフレーム２８，２８の前部を、図２に示すように、サイドシル２０の後部と車両前後方向にオーバラップする位置まで前方へ延設させている。
【００３０】
一方、図２に示すように、エンジンルーム１１の左右両サイドを車両の前後方向に延びる左右一対のフロントサイドフレーム２９，２９を設けている。これらの各フロントサイドフレーム２９，２９は、ダッシュ側部１３Ｂ，１３Ｃより前方に延びる車体剛性部材であって、これらの各フロントサイドフレーム２９，２９は図１に示すように、その後部がダッシュロアパネル１３の前面に沿って下方に延び、該フロントサイドフレーム２９の後端部は上述のフロアフレーム２６の前端部に連結されていて、このフロントサイドフレーム２９とフロアフレーム２６とは、図２に示すように、平面視で車両の前後方向に略一直線状に連続するものである。
【００３１】
図１、図２に示すように、左右一対のフロントサイドフレーム２９，２９間には、車幅方向に延びる閉断面構造のフロントクロスメンバ３０（いわゆるＮｏ．１．５クロスメンバ）を設けている。
【００３２】
また、図２に示すように、左右一対のフロントサイドフレーム２９，２９の前方には、クラッシュカン３１，３１（衝撃エネルギ吸収部材）を介して、車幅方向に延びるバンパレイン３２（詳しくは、フロントバンパレインフォースメント）を設けている。  
このバンパレイン３２の車幅方向中間部には、後方に後退する中間後退部３２Ａを形成すると共に、バンパレイン３２の左右の両端部にも、後方に後退するサイド後退部３２Ｂ，３２Ｃを形成し、該バンパレイン３２の平面から見た全体形状を略Ｗ字状と成している。
【００３３】
上述の左右一対のフロントサイドフレーム２９，２９の車外側には、ホイールハウス３３，３３（図６参照）が設けられており、これら各ホイールハウス３３，３３における車幅方向の内側で、かつホイールハウス３３の前後方向略中央部には図６に示すように、サスタワー３３Ｔ（詳しくは、サスペンションタワー部）が一体的に取付けられている。
【００３４】
また、左右の各ホイールハウス３３の上部には、図６に示すように、車両の略前後方向に延びる車体剛性部材としてのエプロンレインフォースメント３４が設けられており、このエプロンレインフォースメント３４の前部には、シュラウドアッパメンバ（図示せず）が接続される一方、エプロンレインフォースメント３４の後部には、カウルサイド部３５が接続されている。
【００３５】
ところで、図１に示すように、エンジンルーム１１内のエンジン３８の前方において、左右一対のフロントサイドフレーム２９，２９間には、後部にクーリングファン３６を備えたラジエータ３７を、前低後高状に傾斜させて、配設している。ここで、上述のラジエータ３７とクーリングファン３６とは一体化されて、ラジエータユニットを構成している。  
また、図１、図２に示すように、ラジエータ３７のさらに前方には放熱用熱交換器としてのガスクーラ２を配設し、このガスクーラ２の背面に内部熱交換器５を配置している。さらに、該内部熱交換器５の直後の車幅方向右側には膨張弁３を配設している。
【００３６】
図１、図２に示すように、エンジンルーム１１内の後部およびトンネル部１９の車外側には、内燃機関としてのエンジン３８（縦置きエンジン）とトランスミッション３９とから成るパワートレインユニット４０（以下単にパワートレインと略記する）を配設している。該パワートレイン４０は上述のダッシュ中央凹部１３Ａに対応して配設されたものであって、重量物としてのエンジン３８およびトランスミッション３９を可及的車両前後方向の中心部に後退配置して所謂フロント・ミッドシップ・エンジン車と成し、ヨー慣性モーメントの低減を図り、操縦安定性の向上を図るように構成している。ここで、上述のエンジン３８としては、レシプロエンジンまたはロータリエンジンを用いることができるが、図面ではレシプロエンジンを例示している。
【００３７】
さらに、上述のトンネル部１９の車外側には、トランスミッション３９の出力を、リヤディファレンシャル装置４１に伝達するプロペラシャフト４２を設け、上述のリヤディファレンシャル装置４１の差動出力を、車幅方向に延びる左右のドライブシャフト４３，４３（図２参照）を介して、左右の後輪４４，４４に伝達すべく構成して、ＦＲ（前部機関後輪駆動）タイプの車両と成している。
【００３８】
一方、図１に示すように、エンジンルーム１１の上方をボンネット４５で覆うと共に、エンジンルーム１１の前方はフロントバンパ４６で覆っている。  
また、フロントウインド４７は、図３に示すように左右のフロントピラー４８，４８と、ルーフ部４９の前端と、カウル部（図示せず）上端との間に形成されたフロントウインド開口を覆うものである。
【００３９】
一方、この車両は、図１に示すように、リヤフロア１８上方の後部荷室５３の開口を、リヤゲートウインド５４を備えたリヤゲート５５（開閉部材）によって開閉自在に覆うように構成しており、上述の後部荷室５３は車室１２内と連通していて、上述のリヤゲート５５を開放することで、荷物の出し入れを容易に行なうように構成している。
【００４０】
図１〜図３において、５６はステアリングホイール、５７はインストルメントパネル、５８はステアリングラック、５９はサブフレーム、６０はホイールハウス３３（図６参照）に操舵可能に格納された前輪タイヤである。  
一方、図２に示すように、ダッシュロアパネル１３およびインストルメントパネル５７の後方の車室１２内側には、車幅方向に運転席シート６１と、助手席シート６２とが左右に並設されている。運転席シート６１は車両左側のダッシュ側部１３Ｂ（他方のダッシュ側部）およびステアリングホイール５６に対応して車両左側に配設されており、この運転席シート６１はシートクッション６１Ｃとシートバック６１Ｂとを備えている。
【００４１】
助手席シート６２は車両右側のダッシュ側部１３Ｃ（一方のダッシュ側部）に対応して車両右側に配設されており、この助手席シート６２もシートクッション６２Ｃとシートバック６２Ｂとを備えている。
【００４２】
運転席シート６１および助手席シート６２から成る前列シートの後方には、シートクッション６３Ｃとシートバック６３Ｂとをそれぞれ備えた左右のリヤシート６３，６３（後列シート）を配設している。ここで、これらの前後各列のシート６１，６２，６３，６３は何れもセパレート・シート（バケットシート）にて構成している。
【００４３】
次に、車両用空調装置の配設構造について詳述する。  
図２に示すように、エンジン３８の前部には、該エンジン３８で駆動される圧縮機１を取付ける一方、図１、図２に示すように、エンジンルーム１１内のパワートレイン４０の前方、詳しくは、エンジン３８およびラジエータ３７のさらに前方には放熱用熱交換器としてのガスクーラ２を配設している。  
そして、このガスクーラ２の背部（車両前後方向の後部）には、内部熱交換器５を配設すると共に、この内部熱交換器５の背部右側には膨張弁３を取付けている。
【００４４】
図１〜図３に示すように、上述のエバポレータ４と、アキュムレータ６と、ブロアユニット８と、配風ユニット９とで空調ユニット６４を構成し、これらエバポレータ４と、アキュムレータ６と、ブロアユニット８と配風ユニット９とを一体的にユニット化して上述の空調ユニット６４を構成し、該空調ユニット６４をダッシュロアパネル１３における助手席側のダッシュ側部１３Ｃ直後に配設している。  
図４は図１の要部拡大側面図、図５は図２の要部拡大平面図、図６は配風ユニットと空調風吹出し口との関連構造を示す平面図である。
【００４５】
上述のアキュムレータ６は、図１０で示したように冷媒循環経路７内に設けられた蓄圧装置であって、このアキュムレータ６は図５に平面図で示すように、パワートレイン４０を構成するエンジン３８の車幅方向一方側（この実施例では、助手席と対応する車幅方向右方側）に配設されている。また、該アキュムレータ６はその長手方向を車両前後方向に向けて、上述の空調ユニット６４内の前部かつ車幅方向内側に配設されている。  
さらに、上述のパワートレイン４０の車幅方向他方側として運転席と対応する車幅方向左方側において、同側のダッシュ側部１３Ｂ直前部には、車両補機としてのブレーキ・ブースタ１０（制動用倍力装置）を設けている。
【００４６】
ところで、図４、図５に示すように、上述のエバポレータ４、アキュムレータ６、ブロアユニット８および配風ユニット９は、単一のハウジング６５内に一体ユニット化されており、該ハウジング６５内を空調風通路６６（図５参照）に設定している。
【００４７】
この空調風通路６６は、エバポレータ４を通過する空調風を、配風ユニット９（つまり、配風ボックス）を介して車室１２内に導く通路である。  
また、この空調風通路６６には、エバポレータ４に空調風（特に、内外気）を送風するブロアユニット８と、エバポレータ４からの空調風を車室１２内に設けられた複数の空調風吹出し口に分配して配風する配風ユニット９が設けられている。
【００４８】
図４、図５に示すように、上述のブロアユニット８は、空調風の吐出部８Ａと、内外気の吸込み口８Ｂと、ブロアモータ８Ｍとを有し、このブロアユニット８は空調ユニット６４内の前部で、かつアキュムレータ６の車幅方向外方に配置されている。
【００４９】
図５に平面図で示すように、エバポレータ４と配風ユニット９とは、空調ユニット６４内において上述のアキュムレータ６およびブロアユニット８の後方に車幅方向に並設されており、車幅方向外方にエバポレータ４が、車幅方向内方に配風ユニット９が、それぞれ位置するように配設されている。
【００５０】
図６に示すように、配風ユニット９の下流部（空調風の吹出し側）にはデフロスタ連通部６７、ベント連通部６８を接続している。  
上述のデフロスタ連通部６７には、多数のデフロスタ吹出し口６９，６９…を備えたデフロスタダクト７０を接続して、フロントウインド４７の曇り止めを図るように構成している。
【００５１】
また、上述のベント連通部６８には運転席側および助手席側の各ベントダクト７１，７２を接続し、運転席側のベントダクト７１に形成された左右のベント吹出し口７３，７３からドライバに向けて空調風を吹き出すように構成している。
【００５２】
さらに、上述の助手席側のベントダクト７２に形成された左右のベント吹出し口７４，７４からパッセンジャに向けて空調風を吹き出すように構成している。なお、図６において、７５，７６はリヤ席用の空調風の接続部であり、この接続部７５，７６に図示しないダクトを接続して、後席乗員用の空調経路が形成されるものである。  
つまり、上述の配風ユニット９はデフロスタ吹出し口６９、ベント吹出し口７３，７４に対して空調風を分配して配風するものである。
【００５３】
上述のエバポレータ４、アキュムレータ６、ブロアユニット８、配風ユニット９を内蔵した空調ユニット６４を、車両前方に向けて凸形状に形成されたダッシュ側部１３Ｃ（ダッシュ側方凸部）の直後に配設することで、エバポレータ４、およびアキュムレータ６はパワートレイン４０の車幅方向一方側つまり車幅方向右方側のダッシュパネル１３の近傍に配設されたものである。
【００５４】
一方、図５に平面図で示すように、ガスクーラ２と内部熱交換器５とは、ラインＬ２でこれら両者２，５の左端部相互が接続されており、内部熱交換器５と膨張弁３の入口部とは、ラインＬ３で接続されている。
【００５５】
膨張弁３の出口部と、エバポレータ４とを接続するラインＬ４は、膨張弁３から一旦、車幅方向外方に延びた後に、この外方端からフロントサイドフレーム２９の上方において車両前後方向の後方に延びた後に、空調ユニット６４内において上述のエバポレータ４に接続される。  
また、エバポレータ４とアキュムレータ６との間は、空調ユニット６４内においてラインＬ５で接続される。  
さらに、アキュムレータ６の出口部に接続されたＣＯ２ガス冷媒還流用のラインＬ６は、フロントサイドフレーム２９の上方において車両前後方向の前方に延びた後に、その前端から車幅方向内方に延びて内部熱交換器５に接続される。
【００５６】
要するに、図５に示すように、蓄圧装置としてのアキュムレータ６と、車両補機としてのブレーキ・ブースタ１０とを、パワートレイン４０を隔てて車幅方向の左右に振り分けて配設したものであり、ブレーキ・ブースタ１０をブレーキペダルが存在する運転席側に、アキュムレータ６を助手席側にレイアウトしたものである。  
また、略円筒形状で比較的大きく剛性が高いアキュムレータ６は、その長手方向を車両前後方向に向けて配設すると共に、空調ユニット６４のハウジング６５内に配置している。
【００５７】
さらに、パワートレイン４０の車幅方向右方側のダッシュロアパネル１３の近傍には、エバポレータ４およびアキュムレータ６をそれぞれ配設し、ダッシュロアパネル１３の一般面より前方側にアキュムレータ６を、一般面より後方側にエバポレータ４をそれぞれレイアウトしたものである。  
なお、図中、矢印Ｆは車両前方を示し、矢印Ｒは車両後方を示す。
【００５８】
このように、図１〜図６、図１０で示した実施例の車両用空調装置の配設構造は、冷媒が循環する冷媒循環経路７に、該冷媒を圧縮する圧縮機１と、放熱用熱交換器（ガスクーラ２参照）と、蒸発用熱交換器（エバポレータ４参照）とを備え、上記蒸発用熱交換器（エバポレータ４）によって車室１２内の温度を調整する空調装置（空調ユニット６４参照）を備えた車両用空調装置の配設構造であって、車室１２とエンジンルーム１１を車両前後方向に仕切るダッシュロアパネル１３が設けられ、上記エンジンルーム１１に配設されたパワートレイン４０の前方に上記放熱用熱交換器（ガスクーラ２参照）を配設し、上記冷媒循環経路７内に設けられた蓄圧装置（アキュムレータ６参照）を、上記パワートレイン４０の車幅方向一方側（この実施例では右側）に配設すると共に、車幅方向他方側（左側）には車両補機（ブレーキ・ブースタ１０参照）が設けられたものである（図１、図５、図１０参照）。
【００５９】
この構成によれば、パワートレイン４０の車幅方向一方側と他方側とに、蓄圧装置（アキュムレータ６参照）と車両補機（ブレーキ・ブースタ１０参照）とを振り分けて配設したので、クラッシュスペースに影響を及ぼすことなく、蓄圧装置（アキュムレータ６）の配設と、車両補機（ブレーキ・ブースタ１０）の配設との両立を図り、かつ、エンジンルーム１１を前後方向にコンパクトにすることが可能となる。
【００６０】
また、上記車両補機を制動用倍力装置（ブレーキ・ブースタ１０参照）に設定（図５参照）したので、蓄圧装置（アキュムレータ６参照）と制動用倍力装置（ブレーキ・ブースタ１０参照）とのレイアウトの両立を図ることができる。  
さらに、上記パワートレイン４０の車幅方向一方側（右側）のダッシュロアパネル１３の近傍には、上記蒸発用熱交換器（エバポレータ４参照）および上記蓄圧装置（アキュムレータ６参照）が配設されたものである（図５参照）。
【００６１】
この構成によれば、蒸発用熱交換器（エバポレータ４）および蓄圧装置（アキュムレータ６）、特に蓄圧装置（アキュムレータ６）をパワートレイン４０の車幅方向一方側に車両前後方向のデッドスペースを有効利用して、車両衝突時に破損し難い部位に配設することができ、また蓄圧装置（アキュムレータ６）はエンジン３８前方と異なってダッシュロアパネル１３の近傍に配設したので、重心の後方移動ができると共に、クラッシュスペースの拡大を図ることができて、車両衝突時の安全性が向上する。
【００６２】
加えて、空調風を上記蒸発用熱交換器（エバポレータ４参照）を通過させて車室１２内に導く空調風通路６６を備え、該空調風通路６６には上記蒸発用熱交換器（エバポレータ４）に空調風を送風するブロアユニット８と、上記蒸発用熱交換器（エバポレータ４）からの空調風を上記車室１２内に設けられた複数の空調風吹出し口（デフロスタ吹出し口６９、ベント吹出し口７３，７４参照）に分配して配風する配風ユニット９が設けられ、上記蒸発用熱交換器（エバポレータ４参照）と上記ブロアユニット８と上記配風ユニット９とを一体的にユニット化（空調ユニット６４参照）して助手席と対応するダッシュロアパネル１３の一側方（右側）に配設したものである（図５、図６参照）。
【００６３】
この構成によれば、蒸発用熱交換器（エバポレータ４参照）とブロアユニット８と配風ユニット９とを一体ユニット化したものの全体を集約して、ダッシュロアパネル１３の片側、つまり助手席側に配設したので、運転席側においては充分な居住スペースを確保することができ、また助手席側においては最大限の居住スペースを確保することができ、さらに、片方に集約して配設するので、その組付け性の向上を図ることができる。
【００６４】
しかも、上記冷媒は二酸化炭素冷媒（ＣＯ２冷媒）であることを特徴とする（図１０参照）。  
この構成によれば、冷媒を、高い圧縮圧力が必要な二酸化炭素冷媒（ＣＯ２冷媒）としたので、地球温暖化係数が極小、かつ毒性がないうえ、不燃性を確保することができて、安全性上、有効となる。
【００６５】
また、実施例で開示（図５参照）したように、エバポレータ４、ブロアユニット８、配風ユニット９に加えて、アキュムレータ６を一体ユニット化すると、これら各要素４，６，８，９を予めサブアセンブリすることができるので、空調ユニット６４の車載時における組付け性の向上を図ることができる効果がある。  
なお、図４で示した空調ユニット６４に代えて、図７に示す空調ユニット６４を用いてもよい。
【００６６】
すなわち、図４に示す空調ユニット６４は、ダッシュロアパネル１３より前部におけるフロントサイドフレーム２９の上面と、空調ユニット６４のハウジング６５の下面とが略一致するように構成したが、図７に示す空調ユニット６４は、エバポレータ４および配風ユニット９が内設される部位のハウジング６５を、ダッシュロアパネル１３の車室側において下方に延長形成し、この延長によりハウジング６５の内容積を拡大し、これに対応して上下方向の寸法が大きいエバポレータ４および配風ユニット９を該ハウジング６５内に配置したものである。
【００６７】
このように構成すると、大型のエバポレータ４を用いることができるので、空調性能の向上を図ることができる。図７の実施例においても、その他の構成、作用、効果については図４のそれと同一であるから、図７において図４と同一の部分には、同一符号を付して、その詳しい説明を省略する。
【００６８】
一方、図５で示した構造に代えて、図８に示す構造を採用してもよい。  
すなわち、図５で示した構造は、エバポレータ４、アキュムレータ６、ブロアユニット８、配風ユニット９を空調ユニット６４として一体ユニット化したが、図８に示す構造は、エバポレータ４、ブロアユニット８、配風ユニット９を空調ユニット６４として一体ユニット化すると共に、アキュムレータ６はダッシュロアパネル１３の助手席側におけるエンジンルーム１１内でかつダッシュロアパネル１３の近傍に配設したものである。
【００６９】
このように構成すると、空調ユニット６４内にはエバポレータ４、ブロアユニット８、配風ユニット９のみを設けるとよいので、空調ユニット６４の小型コンパクト化を図ることができると共に、該空調ユニット６４のレイアウトの自由度向上を図ることができる。なお、図８で示した実施例においても、その他の構成、作用、効果については図５のそれと同一であるから、図８において図５と同一の部分には、同一符号を付して、その詳しい説明を省略する。
【実施例２】
【００７０】
図９は車両用空調装置の配設構造のさらに他の実施例を示すものである。  
図９に示すこの実施例では、ダッシュロアパネル１３は、車幅方向の中央において車両後方に向けて凹設されたダッシュ中央凹部１３Ａと、このダッシュ中央凹部１３Ａの前端から車幅方向の左右両側に延びるダッシュ側部１３Ｂ，１３Ｄと、から形成され、左右の各ダッシュ側部１３Ｂ，１３Ｄは何れもダッシュロアパネル一般面に相当すべく車幅方向に真っ直ぐに延びている。
【００７１】
また、この実施例においては、エバポレータ４、ブロアユニット８、配風ユニット９を内蔵した空調ユニット６４を、助手席側においてダッシュ側部１３Ｄの前方（前側近傍）に配設すると共に、配風ユニット９の一部および該部を囲繞するハウジング６５の一部のみを、車室内に設けられた空調風吹出し口との接続を考慮して、ダッシュ側部１３Ｄの開口部８０から車室１２側へ突設している。
【００７２】
しかも、この実施例においては、パワートレイン４０の車幅方向一方側として運転席に対応する左側のダッシュ側部１３Ｂのエンジンルーム側直前部には、蓄圧装置としてのアキュムレータ６を車幅方向に向けて配設し、パワートレイン４０の車幅方向他方側として助手席に対応する右側のダッシュ側部１３Ｄ近傍には、車両補機としてのエバポレータ４を配設している。  
ここで、上述のアキュムレータ６は、図９に示すように、その長手方向を車幅方向に向け、該アキュムレータ６をダッシュ側部１３Ｂ
の前面に沿設したものである。
【００７３】
図９に示すように、ガスクーラ２はエンジン３８およびラジエータ３７（前図参照）の前方に配設されており、このガスクーラ２とアキュムレータ６との間を、パワートレイン４０の左側の側方を車両前後方向に延びる第１の冷媒用導管としてのラインＬ６によって接続している。詳しくは、このラインＬ６は内部熱交換器５を介してガスクーラ２に接続されている。
【００７４】
また、同図に示すように、アキュムレータ６と空調ユニット６４内のエバポレータ４との間を、ダッシュロアパネル１３のエンジンルーム１１側を車幅方向に延びる第２の冷媒用導管としてのラインＬ５によって接続している。このラインＬ５はエンジン３８の後部上方を車幅方向に横断するように配設されている。
【００７５】
さらに、内部熱交換器５の背部左側に設けられた膨張弁３の出口部と、エバポレータ４とを接続するラインＬ４の上流部Ｌ４ａは、車両前後方向に延びるラインＬ６と平行に配設され、ラインＬ４の下流部Ｌ４ｂは、車幅方向に延びるラインＬ５と平行に配設されている。
【００７６】
さらにまた、図９に平面図で示すように、ガスクーラ２と内部熱交換器５とは、ラインＬ２でこれら両者２，５の右端部相互が接続されており、内部熱交換器５と膨張弁３の入口部とは、ラインＬ３で接続されている。
【００７７】
このように、図９で示した実施例の車両用空調装置の配設構造は、冷媒が循環する冷媒循環経路７に、該冷媒を圧縮する圧縮機１と、放熱用熱交換器（ガスクーラ２参照）と、蒸発用熱交換器（エバポレータ４参照）とを備え、上記蒸発用熱交換器（エバポレータ４）によって車室１２内の温度を調整する空調装置（空調ユニット６４参照）を備えた車両用空調装置の配設構造であって、車室１２とエンジンルーム１１を車両前後方向に仕切るダッシュロアパネル１３が設けられ、上記エンジンルーム１１に配設されたパワートレイン４０の前方に上記放熱用熱交換器（ガスクーラ２参照）を配設し、上記冷媒循環経路７内に設けられた蓄圧装置（アキュムレータ６参照）を、上記パワートレイン４０の車幅方向一方側（左側参照）に配設すると共に、車幅方向他方側（右側参照）には車両補機（エバポレータ４参照）が設けられたものである（図９参照）。
【００７８】
この構成によれば、パワートレイン４０の車幅方向一方側と他方側とに、蓄圧装置（アキュムレータ６）と車両補機（エバポレータ４）とを振り分けて配設したので、クラッシュスペースに影響を及ぼすことなく、蓄圧装置（アキュムレータ６）の配設と、車両補機（エバポレータ４）の配設との両立を図り、かつ、エンジンルーム１１を前後方向にコンパクトにすることが可能となる。
【００７９】
また、上記車両補機は上記蒸発用熱交換器（エバポレータ４参照）に設定したので、蓄圧装置（アキュムレータ６）と蒸発用熱交換器（エバポレータ４）とのレイアウトの両立を図ることができる。  
さらに、上記蓄圧装置（アキュムレータ６参照）はダッシュロアパネル１３のエンジンルーム１１側直前部に車幅方向に向けて配設されたものである。
【００８０】
この構成によれば、蓄圧装置（アキュムレータ６）を車幅方向に向けてダッシュロアパネル１３直前部に配設したので、さらなる重心の後方移動ができ、ヨー慣性モーメントの低減を図ることができる。  
加えて、上記蓄圧装置（アキュムレータ６）と上記放熱用熱交換器（ガスクーラ２参照）との間を、上記パワートレイン４０の側方（左側の側方参照）を車両前後方向に延びる第１の冷媒用導管（ラインＬ６参照）によって接続したものである。
【００８１】
この構成によれば、次のような効果がある。  
すなわち、パワートレイン４０側方には前後方向のデッドスペースが存在する。そして、このデッドスペースを有効利用して第１の冷媒用導管（ラインＬ６）を配設することができ、また、第１の冷媒用導管（ラインＬ６）による最短距離での接続が可能となる。
【００８２】
また、上記蓄圧装置（アキュムレータ６参照）と上記蒸発用熱交換器（エバポレータ４参照）との間を、上記ダッシュロアパネル１３のエンジンルーム１１側を車幅方向に延びる第２の冷媒用導管（ラインＬ５参照）によって接続したものである。
【００８３】
この構成によれば、次のような効果がある。  
すなわち、上述のダッシュロアパネル１３のエンジンルーム１１側、換言すれば、パワートレイン４０を構成するエンジン３８の後部上側にはデッドスペースが存在するので、このデッドスペースを有効利用して、上記第２の冷媒用導管（ラインＬ５参照）を配設することができる。
【００８４】
図９で示したこの実施例２においても、その他の構成、作用、効果については、先の実施例１とほぼ同様であるから、図９において前図と同一の部分には同一符号を付して、その詳しい説明を省略する。
【００８５】
この発明の構成と、上述の実施例との対応において、  
この発明の放熱用熱交換器は、実施例のガスクーラ２に対応し、
以下同様に、
蒸発用熱交換器は、エバポレータ４に対応し、
空調装置は、空調ユニット６４に対応し、
ダッシュパネルは、ダッシュロアパネル１３に対応し、
パワートレインユニットは、パワートレイン４０に対応し、
蓄圧装置は、アキュムレータ６に対応し、
請求項２の車両補機は、ブレーキ・ブースタ（制動用倍力装置）１０に対応し、
請求項３の車両補機は、エバポレータ（蒸発用熱交換器）４に対応し、
空調風吹出し口は、デフロスタ吹出し口６９、ベント吹出し口７３，７４に対応し、  
第１の冷媒用導管は、ラインＬ６に対応し、
第２の冷媒用導管は、ラインＬ５に対応するも、
この発明は、上述の実施例の構成のみに限定されるものではない。  
例えば、上記実施例においては、車両用空調装置の配設構造を左ハンドル車両に適用したが、これは右ハンドル車両に適用してもよい。
【図面の簡単な説明】
【００８６】
【図１】本発明の車両用空調装置の配設構造を示す側面図
【図２】車両用空調装置の配設構造を示す平面図
【図３】車両用空調装置の配設構造を示す正面図
【図４】図１の要部拡大側面図
【図５】図２の要部拡大平面図
【図６】配風ユニットと空調風吹出し口との関連構造を示す平面図
【図７】車両用空調装置の配設構造の他の実施例を示す側面図
【図８】車両用空調装置の配設構造のさらに他の実施例を示す平面図
【図９】車両用空調装置の配設構造のさらに他の実施例を示す平面図
【図１０】ＣＯ２冷媒を用いる冷凍サイクルの構成図
【符号の説明】
【００８７】
１…圧縮機
２…ガスクーラ（放熱用熱交換器）
４…エバポレータ（蒸発用熱交換器）
６…アキュムレータ（蓄圧装置）
７…冷媒循環経路
８…ブロアユニット
９…配風ユニット
１０…ブレーキ・ブースタ（車両補機）
１１…エンジンルーム
１２…車室
１３…ダッシュロアパネル（ダッシュパネル）
４０…パワートレイン（パワートレインユニット）
６４…空調ユニット（空調装置）
６６…空調風通路
６９…デフロスタ吹出し口（空調風吹出し口）
７３，７４…ベント吹出し口（空調風吹出し口）
Ｌ５…ライン（第２の冷媒用導管）
Ｌ６…ライン（第１の冷媒用導管）
【図１】
2010047088.tif 000003
【図２】
2010047088.tif 000004
【図３】
2010047088.tif 000005
【図４】
2010047088.tif 000006
【図５】
2010047088.tif 000007
【図６】
2010047088.tif 000008
【図７】
2010047088.tif 000009
【図８】
2010047088.tif 000010
【図９】
2010047088.tif 000011
【図１０】
2010047088.tif 000012